(57)【要約】【課題】着脱が容易になる靴を提供する。【解決手段】本発明はアッパー上の、互いに並列してある２つのひも穴つまみのいずれかの履き口に近い箇所のあたりに、留め具手段が設けられており、該留め具手段は、前記一つのひも穴つまみのあたりに固定されている第１の留め具と、前記第１の留め具上に該第１の留め具と前記アッパーの前記他の一つのひも穴つまみを有する面との間に回動できるように枢支されている第２の留め具とからなり、前記第２の留め具は、ほぼ平面状の板体であり、その上面に前記ひも穴つまみの少なくとも一つの紐孔に代えて通孔が形成された紐通し手段が設けられ、その下面に前記第１の留め具に着脱可能に嵌挿される嵌挿手段が突出形成してあり、また、前記第１の留め具は、ほぼ平面状の板体であり、その上面に、前記嵌挿部と着脱可能に嵌合する嵌合手段が設けてある。【選択図】　　　図４
2004135874.tif 000002
【特許請求の範囲】
【請求項１】
アッパー上の、互いに並列してある２つのひも穴つまみのいずれかの履き口に近い箇所のあたりに、留め具手段が設けられており、
該留め具手段は、前記一つのひも穴つまみのあたりに固定されている第１の留め具と、前記第１の留め具上に該第１の留め具と前記アッパーの前記他の一つのひも穴つまみを有する面との間に回動できるように枢支されている第２の留め具とからなり、
前記第２の留め具は、ほぼ平面状の板体であり、その上面に前記ひも穴つまみの少なくとも一つのひも穴に代えて通孔が形成された紐通し手段が設けられ、その下面に前記第１の留め具に着脱可能に嵌挿される嵌挿手段が突出形成してあり、
また、前記第１の留め具は、ほぼ平面状の板体であり、その上面に、前記嵌挿手段と着脱可能に嵌合する嵌合手段が設けてあることを特徴とする靴。
【請求項２】
アッパー上の、互いに並列してある２つのひも穴つまみのいずれかの履く口に近い箇所のあたりに、留め具手段が設けられており、
該留め具手段は、前記一つのひも穴つまみのあたりに固定されている第１の留め具と、前記第１の留め具上に該第１の留め具と前記アッパーの前記他の一つのひも穴つまみを有する面との間に回動できるように枢支されている第２の留め具とからなり、
前記第２の留め具は、ほぼ平面状の板体であり、その上面に前記ひも穴つまみの少なくとも一つのひも穴に代えて通孔が形成された紐通し手段が設けられ、その下面に前記第１の留め具に着脱可能に嵌挿される嵌挿手段が突出形成してあり、
また、前記第１の留め具は、ほぼ平面状の板体であり、その上面に、前記嵌挿手段と着脱可能に嵌合する嵌合手段が設けてあり、
この嵌合手段は、前記第１の留め具の上面から突出するように形成され、その上面に前記嵌挿手段に嵌挿され得る第１の通孔が開設され、前記枢止の反対側にある側面に第２の通孔が開設されているケース状の突体と、前記突体内に設けられていて、前記第１の通孔を経由して嵌め込んだ嵌挿手段を解除可能に係止する係止手段と、前記突体の外から前記第２の通孔を経由して前記係止手段を引っ張って前記係止を解除する解除手段とからなることを特徴とする靴。
【請求項３】
前記嵌挿手段は環状であり、前記係止手段は、弾性部材の弾力によってその先端が前記嵌挿手段の環状内に挿入するスライドからなることを特徴とする請求項２に記載の靴。
【請求項４】
前記紐通し手段は、前記第２の留め具の前記回動カーブの径方向に沿って形成された案内孔に案内されて摺動できるように設けられていること特徴とする請求項２または３に記載の靴。
【請求項５】
前記突体の下開口を閉鎖するように、前記第２の留め具の下面に封止板が固定されていることを特徴とする請求項２または３に記載の靴。
【発明の詳細な説明】
【０００１】
【発明の属する技術分野】
本発明は靴に関し、特に着脱の容易な靴に関する。
【０００２】
【従来の技術】
出願人は特願２００１−２９４５６４号にて「装着が容易な靴」を提案している。この靴１は、図１に示すように、アッパー１上の、互いに並列してある第１及び第２のひも穴つまみ１０２，１０３のいずれか（この図例は第２のひも穴つまみ１０３）の履き口１０１に近い箇所のあたりに、第１の留め具４が取り付けられ、第１の留め具４に第２の留め具３が着脱可能に掛合している。第１の留め具４は第２のひも穴つまみ１０３の側辺に取り付けられている取り付けセクション４０１と、取り付けセクション４０１上に設けられている留め具掛合セクション４０２とを有する。また、第２の留め具３は前記第２のひも穴つまみ１０３の２つのひも穴１０５に代えて２つの通孔３０２が形成される靴ひも通しセクション３０１と、靴ひも通しセクション３０１から延在し、第１の留め具４の留め具掛合セクション４０２と着脱可能に掛合することができる留め具掛合セクション３０３とを有する。第１及び第２のひも穴つまみ１０２，１０３のひも穴１０５及び靴ひも通しセクション４０２の通孔３０２を順番に挿通している靴ひもユニット２が配置されている。
【０００３】
また、第２の留め具３の留め具掛合セクション３０３は、凹部３０４と、凹部３０３を取り囲むよう配置され、傾斜面を有する案内部３０５とを含む。そして、第１の留め具４の留め具掛合セクション４０２は取り付けセクション３０１上にピボット可能に取り付けられるピボット端と、取り付けセクションに向かって突出する凸状突出部４０４が形成され、ピボット端とは反対側のロック端とを有する弾性ラッチ部材４０３を含む。
【０００４】
第２の留め具４が取り付けセクション３０１上に配置されると、弾性ラッチ部材４０３は、ピボット端についてピボットし、それにより、ロック端上の凸状突出部４０４が傾斜面上に沿って動き、凹部３０３に入り、第１の留め具４及び第２の留め具３が互いに掛合する。着用者が靴を脱ぐことを所望する場合に、第１の留め具４の留め具掛合セクション４０２の弾性ラッチ部材４０３は、弾性ラッチ部材のピボット端に対してピボットすることが可能であり、それにより、弾性ラッチ部材のロック端の凸状突出部４０４を、第２の留め具３の留め具掛合セクション３０３の凹部３０４から外し、第２の留め具３の留め具掛合セクション３０３の案内部３０５の傾斜面に沿って動かす。このとき、第２の留め具３は、第１の留め具４から離されることが可能であり、第１のひも穴つまみ１０２及び第２のひも穴つまみ１０３は、それに対応して緩められる。従って、靴を素早く且つ容易に脱ぐことが可能となる。しかしながら、このような靴の着脱の容易性はまだまだ理想的とは言えない。
【０００５】
【発明が解決しようとする課題】
上記に鑑みて、発明者は、着脱が容易な靴を提供することを本発明の目的とする。
【０００６】
【課題を解決するための手段】
上記目的を達成するために、本発明はアッパー上の、互いに並列してある２つのひも穴つまみのいずれかの履き口に近い箇所のあたりに、留め具手段が設けられており、該留め具手段は、前記一つのひも穴つまみのあたりに固定されている第１の留め具と、前記第１の留め具上に該第１の留め具と前記アッパーの前記他の一つのひも穴つまみを有する面との間に回動できるように枢支されている第２の留め具とからなり、前記第２の留め具は、ほぼ平面状の板体であり、その上面に前記ひも穴つまみの少なくとも一つの紐孔に代えて通孔が形成された紐通し手段が設けられ、その下面に前記第１の留め具に着脱可能に嵌挿される嵌挿手段が突出形成してあり、また、前記第１の留め具は、ほぼ平面状の板体であり、その上面に、前記嵌挿部と着脱可能に嵌合する嵌合手段が設けてあることを特徴とする靴を提供する。
【０００７】
更に詳しく説明すると、本発明は、アッパー上の、互いに並列してある２つのひも穴つまみのいずれかの履き口に近い箇所のあたりに、留め具手段が設けられており、該留め具手段は、前記一つのひも穴つまみのあたりに固定されている第１の留め具と、前記第１の留め具上に該第１の留め具と前記アッパーの前記他の一つのひも穴つまみを有する面との間に回動できるように枢支されている第２の留め具とからなり、前記第２の留め具は、ほぼ平面状の板体であり、その上面に前記ひも穴つまみの少なくとも一つの紐孔に代えて通孔が形成された紐通し手段が設けられ、その下面に前記第１の留め具に着脱可能に嵌挿される嵌挿手段が突出形成してあり、また、前記第１の留め具は、ほぼ平面状の板体であり、その上面に、前記嵌挿手段と着脱可能に嵌合する嵌合手段が設けてあり、この嵌合手段は、前記第１の留め具の上面から突出するように形成され、その上面に前記嵌挿手段に嵌挿され得る第１の通孔が開設され、前記枢止の反対側にある側面に第２の通孔が開設されているケース状の突体と、前記突体内に設けられていて、前記第１の通孔を経由して嵌め込んだ嵌挿手段を解除可能に係止する係止手段と、前記突体の外から前記第２の通孔を経由して前記係止手段を引っ張って前記係止を解除する解除手段とからなることを特徴とする靴を提供する。
【０００８】
このように構成されている靴は、靴を履くことを所望する場合に、前記嵌挿手段を前記嵌合手段に係止させることにより、前記第２の留め具と前記第１の留め具とを互いに嵌合すれば済み、また、靴を脱ぐことを所望する場合に、前記解除手段を介し、前記係止手段を引っ張って前記嵌挿部を前記嵌合手段から脱出させることにより、前記第２の留め具を前記第１の留め具から取り外せば済むので、靴の着脱が極めて容易になる。
【０００９】
【発明の実施の形態】
以下、図面を参照しながら、本発明の好ましい実施形態を説明する。図３及び図４に示すように、本実施形態における靴は、アッパー１０上の、互いに並列してある２つのひも穴つまみ、即ち図示における第１及び第２のひも穴つまみ１２，１３における第２のひも穴つまみ１３の履き口１１に近い箇所のあたりに、留め具手段３０が設けられている。
【００１０】
留め具手段３０は第２のひも穴つまみ１３の履き口１１に近い箇所のあたりに固定されている第１の留め具４０と、第１の留め具４０上に第１の留め具４０とアッパー１０の第１のひも穴つまみ１２を有する面との間に回動できるように枢支されている第２の留め具５０とからなる。第２の留め具５０は、ほぼ平面状の板体であり、その上面５１に第２のひも穴つまみ１３の２つのひも穴１３１に代えて２つの通孔５５１が形成された紐通し手段５５が設けられ、その下面５２に第１の留め具４０に着脱可能に嵌挿される環状の嵌挿手段７０が２個突出形成してある。
【００１１】
また、第１の留め具４０は、ほぼ平面状の板体であり、その上面４１に、前記２個の嵌挿手段７０と着脱可能に嵌合する嵌合手段６０が設けてある。この嵌合手段６０は、第１の留め具４０の上面４１から突出するように形成され、その上面４１に２個の嵌挿手段７０に嵌挿され得る２個の第１の通孔４２１が開設され、前記枢止の反対側にある側面４２２に第２の通孔４２３が開設されているケース状の突体４２と、突体４２内に設けられていて、前記２個の第１の通孔４２１を経由して嵌め込んだ２個の嵌挿手段７０を共に解除可能に係止する係止手段６１と、突体４２の外から第２の通孔４２３を経由して係止手段６１を引っ張って前記係止を解除する解除手段６２とからなる。係止手段６１は、弾性部材としてのコイルばね８０の弾力によってその先方側から突起している２つの先端６１１が常時に前記２個の嵌挿手段７０の環状内にそれぞれ挿入するスライドからなる。なお、突体４２の下開口を閉鎖するように、第１の留め具４０の下面に封止板４３が固定されている。
【００１２】
そして、図５及び図６に示すように、着用者が始めて靴を履く前に、第２の留め具５０を第１の留め具４０に向かって回動させ、嵌挿手段７０を突体４２の第１通孔４２１を経由して突体４２内に挿入し、コイルばね８０の弾力によって係止手段６１の先端６１１が嵌挿手段７０環状内に挿入することにより、第１の留め具４０と第２の留め具５０とを互いに嵌合する。それに引き続いて、靴ひもユニット２０を、第１及び第２のひも穴つまみ１２，１３のひも穴１２１，１３１及びひも通し手段５５の通孔５５２を順番に挿通し、最後に、履き口１１に近いひも穴１２１，１３１を挿通してから結び目をつける。
【００１３】
また、着用者が靴を脱ぐことを所望する場合に、図７に示すように、解除手段６２を介し、係止手段６１をコイルばね８０の弾力に抗して図示の矢印Ｉの方向へ引っ張って、係止手段６１の先端６１１を前記環状の嵌挿手段７０から脱出させる。この時、第２の留め具５０は、図８及び図９に示すように、第１の留め具４０から取り外されるので、第１のひも穴つまみ１２と第２のひも穴つまみ１３とは、それに対応して緩められる。従って、靴を素早く且つ容易に脱ぐことができる。そして、解除手段６２が放されると、係止手段６１は、コイルばね８０の付勢力により、前記図示の矢印ＩＩの方向へ向かって元の位置に戻る。
【００１４】
その一方、着用者が再度靴を履くことを所望する場合に、嵌挿手段７０を嵌合手段６０に係止させることにより、第２の留め具５０と第１の留め具４０とを互いに嵌合すれば済む。従って、靴を素早く且つ容易に履くことができる。
【００１５】
なお、本実施形態における留め具手段３０は、図３に示すように、靴ひもユニット２０とほぼ平行にするように、第２のひも穴つまみ１３の履き口１１に近い箇所のあたりに傾斜に設けられているが、図１０に示すように、留め具手段３０は第２のひも穴つまみ１３と直交するように設けられてもよい。
【００１６】
次に、図１１に示すのは本発明の第２の実施形態である。本実施形態における靴の第１の実施形態と異なる点は、その第２の留め具５０ａに、第２の留め具５０ａのその第１の留め具４０ａに対する回動カーブの径方向に沿って形成された長孔（案内孔）５６ａが形成してあり、且つ、その紐通し手段５５ａは、活動的なもので、案内孔５６ａに挿通していて案内される案内ピン５５３ａを備えている。それにより、紐通し手段５５ａは、案内孔５６ａの案内ピン５５３ａに対する案内により、第２の留め具５０ａの面上に摺動することができるようになるので、靴を履く時、前記摺動により、靴紐の足に対する縛りの度合いを調整することができる。
【００１７】
また、靴を脱ぐ時、第２の留め具５０ａを第１の留め具４０ａから取り外すと、紐通し手段５５ａは、第２の留め具５０ａの回動と共に、案内孔５６ａに沿って第２の留め具の５０ａの枢止側５６１ａの方向へ摺動するので、靴ひもユニット２０ａが大幅に緩められ、靴を脱ぐことがもっと容易になる。なお、本実施形態における靴の他の構成は前記第１の実施形態と同様に構成されているので、その説明を省略する。
【００１８】
【発明の効果】
上記のように、本発明にかかる靴は、靴を履くことを所望する場合に、前記嵌挿手段を前記嵌合手段に係止させることにより、前記第２の留め具と前記第１の留め具とを互いに嵌合すれば済み、また、靴を脱ぐことを所望する場合に、前記解除手段を介し、前記係止手段を引っ張って前記嵌挿部を前記嵌合手段から脱出させることにより、前記第２の留め具を前記第１の留め具から取り外せば済むので、靴の着脱が極めて容易になる。
【図面の簡単な説明】
【図１】従来の靴を示す斜視図である。
【図２】前記従来の靴における第１の留め具及び第２の留め具を示す分解図である。
【図３】本発明の第１実施形態の靴を示す上面図である。
【図４】前記第１の実施形態における留め具手段を示す分解図である。
【図５】前記第１の実施形態における第１の留め具手段と第２の留め具手段が互いに嵌合された状態を示す断面図である。
【図６】前記図５の６−６を示す断面図である。
【図７】前記第１の実施形態における嵌挿手段が係止手段から脱出された状態を示す説明図である。
【図８】前記第１の実施形態における第２の留め具が第１の留め具から取り外された状態を示す断面図である。
【図９】前記第１の実施形態における第２の留め具が第１の留め具から取り外された状態を示す斜視図である。
【図１０】前記第１の実施形態の変形例を示す上面図である。
【図１１】本発明の第２の実施形態の靴を示す断面図である。
【符号の説明】
１２１、１３１　ひも穴
１０　　アッパー
１１　　履き口
１２　　第１のひも穴つまみ
１３　　第２のひも穴つまみ
２０，２０ａ　靴ひもユニット
３０　　留め具手段
４０，４０ａ　第１の留め具
４１　　第１の留め具の上面
４２　　突体
４２１　第１の通孔
４２２　側面
４２３　第２の通孔
４３　　封止板
５０，５０ａ　第２の留め具
５１　　第２の留め具の上面
５２　　第２の留め具の下面
５５，５５ａ　ひも通し手段
５５１　通孔
５５３ａ　案内ピン
５６ａ　　案内孔（長孔）
５６１ａ　枢止側
６０　　嵌合手段
６１　　係止手段
６１１　係止手段の先端
６２　　解除手段
７０　　嵌挿手段
８０　　コイルばね
【図１】
2004135874.tif 000003
【図２】
2004135874.tif 000004
【図３】
2004135874.tif 000005
【図４】
2004135874.tif 000006
【図５】
2004135874.tif 000007
【図６】
2004135874.tif 000008
【図７】
2004135874.tif 000009
【図８】
2004135874.tif 000010
【図９】
2004135874.tif 000011
【図１０】
2004135874.tif 000012
【図１１】
2004135874.tif 000013